(57)【要約】【課題】  特定のラベルをユーザが識別して区分けできるようにする。【解決手段】  台紙４０２に所定間隔毎にラベル４０１が配された連続紙２０８に対して、記録処理を行う記録装置であって、記録処理が行われた連続紙２０８の台紙４０２を切断する切断手段と、前記切断手段による切断位置として、直前のラベルの端面からの長さが互いに異なる第１及び第２の切断位置５００、５０１を特定するための設定情報（ａ）を設定する設定手段と、前記切断手段による切断タイミングに達した場合に、前記設定手段により設定された設定情報に基づいて第１の切断位置５００と第２の切断位置５０１のいずれかを選択する選択手段と、を備え、前記切断手段は、前記選択手段により選択された切断位置において、台紙４０２を切断することを特徴とする。【選択図】  図５
2014008741.tif 000002
【特許請求の範囲】
【請求項１】
台紙に所定間隔毎にラベルが配された連続紙に対して、記録処理を行う記録装置であって、
記録処理が行われた前記連続紙の台紙を切断する切断手段と、
前記切断手段による切断位置として、直前のラベルの端面からの長さが互いに異なる第１及び第２の切断位置を特定するための設定情報を設定する設定手段と、
前記切断手段による切断タイミングに達した場合に、前記設定手段により設定された設定情報に基づいて第１の切断位置と第２の切断位置のいずれかを選択する選択手段と、を備え、
前記切断手段は、前記選択手段により選択された切断位置において、前記台紙を切断することを特徴とする記録装置。
【請求項２】
前記設定手段は、
前記設定情報として、切断される台紙に含まれるラベルの枚数と、区分けすべきラベルの枚数とを設定可能であり、
前記選択手段は、
前記切断される台紙に含まれるラベルの枚数に達した場合であって、前記区分けすべきラベルの枚数に達していない場合には、前記第１の切断位置を選択し、
前記切断される台紙に含まれるラベルの枚数に達した場合であって、前記区分けすべきラベルの枚数に達した場合には、前記第１の切断位置よりも直前のラベルの端面からの長さが長い前記第２の切断位置を選択することを特徴とする請求項１に記載の記録装置。
【請求項３】
前記設定手段は、
前記設定情報として、切断される台紙に含まれるラベルの枚数と、各切断タイミングにおいて前記第１の切断位置で切断するか前記第２の切断位置で切断するかを指定するための指定情報とを設定可能であり、
前記選択手段は、
前記切断される台紙に含まれるラベルの枚数に達した場合に、前記設定手段に設定された前記指定情報に従って、前記第１の切断位置または前記第２の切断位置を選択することを特徴とする請求項１に記載の記録装置。
【請求項４】
前記ラベルに内蔵されたＲＦＩＤタグに情報を書き込むための書込手段を更に備え、
前記設定手段は、
前記設定情報として、切断される台紙に含まれるラベルの枚数と、前記書込手段による情報の書き込みエラーが生じた場合に前記第２の切断位置で切断することを指定するための指定情報とを設定可能であり、
前記選択手段は、
前記切断される台紙に含まれるラベルの枚数に達した場合において、前記書込手段による情報の書き込みエラーが生じたラベルが、該切断される台紙に含まれていないと判断された場合には、前記第１の切断位置を選択し、
前記切断される台紙に含まれるラベルの枚数に達した場合において、前記書込手段による情報の書き込みエラーが生じたラベルが、該切断される台紙に含まれていると判断された場合には、前記第１の切断位置よりも直前のラベルの端面からの長さが長い前記第２の切断位置を選択することを特徴とする請求項１に記載の記録装置。
【請求項５】
前記ラベルに記録された画像の記録不良を検知する検知手段を更に備え、
前記設定手段は、
前記設定情報として、切断される台紙に含まれるラベルの枚数と、前記検知手段による画像の記録不良が生じた場合に前記第２の切断位置で切断することを指定するための指定情報とを設定可能であり、
前記選択手段は、
前記切断される台紙に含まれるラベルの枚数に達した場合において、前記検知手段により画像の記録不良が検知されたラベルが、該切断される台紙に含まれていないと判断された場合には、前記第１の切断位置を選択し、
前記切断される台紙に含まれるラベルの枚数に達した場合において、前記検知手段により画像の記録不良が検知されたラベルが、該切断される台紙に含まれていると判断された場合には、前記第１の切断位置よりも直前のラベルの端面からの長さが長い前記第２の切断位置を選択することを特徴とする請求項１に記載の記録装置。
【請求項６】
台紙に所定間隔毎にラベルが配された連続紙に対して記録処理を行う記録手段と、該記録処理が行われた該連続紙の台紙を切断する切断手段と、を備える記録装置の制御方法であって、
前記切断手段による切断位置として、直前のラベルの端面からの長さが互いに異なる第１及び第２の切断位置を特定するための設定情報を設定する設定工程と、
前記切断手段による切断タイミングに達した場合に、前記設定工程において設定された設定情報に基づいて第１の切断位置と第２の切断位置のいずれかを選択する選択工程と、
前記選択工程において選択された切断位置において、前記台紙を切断する切断工程と
を備えることを特徴とする記録装置の制御方法。
【請求項７】
コンピュータを、請求項１乃至５のいずれか１項に記載の記録装置の各手段として機能させるためのプログラム。
【発明の詳細な説明】
【技術分野】
【０００１】
本発明は、台紙に所定間隔毎にラベルが配された連続紙に対して記録処理を行う記録装置及びその制御方法に関し、特に、記録装置による台紙の切断処理に関するものである。
【背景技術】
【０００２】
紙等の記録媒体に対して画像を記録する記録装置のひとつとして、例えばインクジェット方式の記録装置が知られている。このような記録装置は搬送系により保持搬送される記録媒体に対して、複数の記録ヘッドからインク滴を吐出することで画像の記録を行う。
【０００３】
記録装置により画像が記録される記録媒体の形式として、例えば、ミシン目により連続的に連なる台紙上に所定間隔ごとに単票のラベルが配された連続紙が使用されることがある。このような連続紙に画像を記録する記録装置では、ユーザの指示により必要なページ分の記録を行い、ユーザは、ミシン目から記録済みのラベルが配された台紙を切断して利用する。なお、記録済みのラベルが配された台紙を切断する作業工程を削減するためのオートカッタが装着され、自動で台紙を切断する記録装置もある。
【０００４】
ところで、このような記録装置では、ページ単位もしくはジョブ単位でラベルが区分けされるよう台紙を均等に切断する機能しか有していないため、出力物に対するユーザビリティの向上が課題となっていた。
【０００５】
このような課題に対して、例えば、特開２００４−７０７８４号公報では、ＲＦＩＤタグが付されたラベルに対する書き込み情報の異常を検知した場合に、当該ラベルに対して一枚余分にラベルが排出されるよう台紙の切断を行う記録装置が提案されている。当該記録装置によれば、書き込み情報が異常なラベルをユーザが視覚的に容易に識別することができる。
【先行技術文献】
【特許文献】
【０００６】
【特許文献１】特開２００４−７０７８４号公報
【発明の概要】
【発明が解決しようとする課題】
【０００７】
しかしながら、上記記録装置のように、書き込み情報の異常を検知した場合に、一枚余分にラベルを排出するように構成すると、本来書き込みが可能であったラベルが、書き込み情報が異常なラベルの識別のために無駄に消費されてしまうこととなる。
【０００８】
また、上記のような記録装置を、書き込み情報の異常の検知時のみならず、例えば、所定枚数ごとのソート用に（つまり、ソート位置の識別用に）適用させようとした場合にあっては、更に、無駄なラベルの消費がさらに増えることとなる。
【０００９】
このようなことから、連続した台紙に所定間隔毎にラベルが配された連続紙に記録を行い、自動で切断を行い排出する記録装置において、特定のラベルをユーザが識別して区分けできるように構成するにあたっては、ラベルの無駄な消費を回避できることが望ましい。
【００１０】
本発明は上記課題に鑑みてなされたものであり、ラベルが配された連続紙を切断して排出する記録装置において、ラベルを無駄に消費することなく、特定のラベルをユーザが識別して区分けできるように構成することを目的とする。
【課題を解決するための手段】
【００１１】
上記の目的を達成するために、本発明に係る記録装置は、例えば、以下のような構成を備える。即ち、
台紙に所定間隔毎にラベルが配された連続紙に対して、記録処理を行う記録装置であって、
記録処理が行われた前記連続紙の台紙を切断する切断手段と、
前記切断手段による切断位置として、直前のラベルの端面からの長さが互いに異なる第１及び第２の切断位置を特定するための設定情報を設定する設定手段と、
前記切断手段による切断タイミングに達した場合に、前記設定手段により設定された設定情報に基づいて、第１の切断位置と第２の切断位置のいずれかを選択する選択手段と、を備え、
前記切断手段は、前記選択手段により選択された切断位置において、前記台紙を切断することを特徴とする。
【発明の効果】
【００１２】
本発明によれば、ラベルが配された連続紙を切断して排出する記録装置において、ラベルを無駄に消費することなく、特定のラベルをユーザが識別して区分けできるようになる。
【図面の簡単な説明】
【００１３】
【図１】本発明の一実施形態に係る記録装置を備える記録システムの外観構成を示す図である。
【図２】記録装置の内部構成を示す図である。
【図３】記録装置の制御系の機能構成を示す図である。
【図４】記録媒体の構成を示す図である。
【図５】切断処理の概要を説明するための図である。
【図６】切断処理の流れを示すフローチャートである。
【図７】切断処理の概要を説明するための図である。
【図８】切断処理の流れを示すフローチャートである。
【発明を実施するための形態】
【００１４】
以下、本発明に係る好適な実施の形態について、図面を参照しながら詳細に説明する。
【００１５】
［第１の実施形態］
＜１．記録システムの構成＞
図１は、本発明の一実施形態に係る記録装置１００を備える記録システム１１０の全体構成を示す図である。
【００１６】
図１に示すように、記録システム１１０は、インクジェット方式に従うフルライン記録ヘッドを用いたカラー記録装置１００（以下、「記録装置」という）と、ホストコンピュータ１０１（以下、「ホスト」という）とを備える。記録装置１００とホスト１０１とは、プリンタケーブル１０２で接続されており、ホスト１０１で処理された各種データは、プリンタケーブル１０２を介して記録装置１００に送信され、記録装置１００にて記録される。
【００１７】
＜２．記録装置の内部構成＞
次に記録装置１００の内部構成について説明する。図２は、記録装置１００の内部構成を示す構成図である。
【００１８】
図２に示すように、記録装置１００は、記録媒体の幅全体に渡って複数のノズルが配列されたブラックカラー記録ヘッド２００Ｋ、シアンカラー記録ヘッド２００Ｃ、マゼンタカラー記録ヘッド２００Ｍ、イエロー記録ヘッド２００Ｙを含む記録ヘッドユニット２０１と、記録ヘッド２００のノズルを保護する回復桶２０２と、記録媒体を搬送する搬送ユニット２０３と、吸引回復に用いる圧力ポンプ２０４と、圧力ポンプ２０４を駆動させ圧力を溜める圧力バッファ２０５と、圧力を溜める際に圧力が逃げないようにするための圧力弁２０６と、廃インクを貯留する廃インクタンク２０７と、を備えており、記録媒体に対してフルカラーで画像を記録することができる。
【００１９】
搬送ユニット２０３の上流側には、複数のラベルがロール状の台紙に配された記録媒体（連続紙）２０８を内蔵する給紙ユニット２０９が装着されており、搬送ユニット２０３に対して給紙可能に構成されている。また、搬送ユニット２０３と給紙ユニット２０９との間には、搬送ユニット２０３に搭載される複数のラベルのページ間を検知するセンサ（以下「ＴＯＦセンサ」）２１０が配されている。各記録ヘッドは、ＴＯＦセンサ２１０によるラベルの先端検知をトリガにして、ラベルに対して順次記録を行う。
【００２０】
記録のためのインクは本体より着脱可能なブラックカラーインクタンク２１１Ｋ、シアンカラーインクタンク２１１Ｃ、マゼンタカラーインクタンク２１１Ｍ、イエローカラーインクタンク２１１Ｙから圧力ポンプ２０４により対応色の各記録ヘッドへと供給される。また、画像の記録精度を維持するために記録ヘッドの吸引回復や回復吐出で使用されたインクは、圧力ポンプ２０４により回復桶２０２から廃インクタンク２０７へと送られ、廃インクタンク２０７に廃棄される。
【００２１】
また、各ラベルに画像が記録された連続紙２０８は搬送ユニット２０３により排紙口まで搬送され、オートカッタ（切断手段）２１２により切断処理が施される。
【００２２】
＜３．記録装置の制御系の構成＞
次に、記録装置１００の制御系の機能構成について説明する。図３は、記録装置１００の制御系の機能構成を示すブロック図である。
【００２３】
図３に示すように、記録装置１００は、ホスト１０１の記録データやコマンドを受信するＵＳＢインタフェースコントローラ３００、記録装置１００における記録データの受信、記録処理等全般の制御を掌る演算処理装置であるＣＰＵ３０１、記録データの各色成分のイメージデータを展開するイメージＲＡＭ３０２を備える。また、各種処理プログラム及びテーブルなどが記憶されたプログラムＲＯＭ３１５、作業用のメモリとして使用されるワークＲＡＭ３１６を備える。
【００２４】
更に、記録装置１００は、各種モータ３０３を駆動するモータドライバ３０４、オートカッタ３０５等を駆動するソレノイドドライバ３０６、各種センサ３０７の信号を入力するためのＩ／Ｏ３０８、記録装置１００全体を制御するＡＳＩＣ３０９、イメージＲＡＭ３０２に展開されたイメージデータをラベル上に記録する記録ヘッド３１０、記録ヘッド毎に装着され固有データを保持するヘッドＥＥＰＲＯＭ３１１、記録ヘッド３１０にインクを供給するインクタンク３１２、インクタンク毎に装着され固有データを保持するインクタンクＥＥＰＲＯＭ３１３、外部からの入力を受け付けるオペレーションパネル３１４を備える。
【００２５】
かかる構成のもと、ＣＰＵ３０１では、プログラムＲＯＭ３１５に記憶された処理プログラムを実行することで、記録処理や回復処理、切断処理等を実行する。具体的には、ラベルの先端検知に同期して、イメージＲＡＭ３０２から対応する色のイメージデータを順次読み出し、当該読み出したイメージデータを各記録ヘッド３１０に転送することで記録処理を行う。また、各記録ヘッド３１０の回復動作時に、モータドライバ３０４を介して各種センサ３０７をモニタしながら、各種モータ３０３を駆動することで、インクの加圧や吸引等の制御を行うことで回復処理を行う。なお、切断処理の詳細については、図５等を用いて後述する。
【００２６】
各インクタンク３１２は、記録処理や回復処理で使用するインクを供給する。各インクタンク３１２には、インクタンクＥＥＰＲＯＭ３１３が搭載されており、インクの色や種類を示すＩＤやシリアルナンバーが書き込まれている。また、残量検知用の使用量カウンタなどが保持できるように構成されている。
【００２７】
オペレーションパネル３１４は、記録装置１００とユーザとの間のインタフェースに用いられる。オペレーションパネル３１４には、記録装置１００からユーザに対して、記録装置１００の内部状態を通知するためのＬＣＤ３１７やブザー３１８、ユーザから記録装置１００に対して指示を入力するためのキー３１９が設けられている。
【００２８】
＜４．連続紙の構成＞
次に記録装置１００において用いられる連続紙２０８の構成について説明する。図４は、記録装置１００において用いられる連続紙２０８の詳細構成を示す図である。
【００２９】
図４（ａ）、（ｂ）に示すように、連続紙２０８は、裏面が粘着加工されたラベル４０１とラベル４０１を所定間隔毎に固定するための台紙４０２とを備える。
【００３０】
＜５．切断処理の概要＞
次に記録装置１００における切断処理の概要について説明する。図５は、記録装置１００における切断処理の概要を説明するための図である。このうち、図５（ａ）は切断処理において切断位置を特定するための設定情報を設定する設定テーブルの一例を示す図であり、図５（ｂ）は連続紙２０８の切断位置を示す図である。また、図５（ｃ）は切断処理により切断された連続紙２０８の一例を示す図である。
【００３１】
図５（ａ）に示すように、記録装置１００では、切断処理に用いられる設定テーブルとして、「印刷ジョブ数」や「印刷ページ数」、「切断タイミング」等の設定項目に加え、「ソートタイミング」という設定項目が設けられており、「ソートタイミング」に対応する入力値の設定ができるよう構成されている。
【００３２】
ここで、「切断タイミング」とは、設定された入力値（ここではページ数“１”）ごとに第１の切断位置５００（（ｂ）参照）で切断するための設定値のことである（つまり、切断される台紙に含まれるラベルの枚数を示している）。また、「ソートタイミング」とは、設定された入力値（ここではページ数“３”）ごとに第１の切断位置５００から第２の切断位置５０１（（ｂ）参照）に切断位置を変更して切断するための設定値のことである（つまり、区分けすべきラベルの枚数を示している）。なお、第２の切断位置５０１とは、第１の切断位置よりも直前のラベル（（ｂ）の例では、画像“Ｃ”が記録されたラベル）の端面からの長さが長い切断位置をいう。
【００３３】
上記設定テーブルのもとで切断処理が実行されると、１ページ目と２ページ目は、第１の切断位置にて切断処理が行われ、３ページ目では、第２の切断位置にて切断処理が行われる。また、４ページ目と５ページ目では、再び、第１の切断位置にて切断処理が行われ、６ページ目では、第２の切断位置にて切断処理が行われる。以下、これらの切断処理が繰り返される。
【００３４】
つまり、「切断タイミング」で設定された入力値ごとに第１の切断位置で切断が行われつつ、「ソートタイミング」で設定された入力値ごとに第２の切断位置が選択され、該第２の切断位置にて切断が行われる。
【００３５】
この結果、図５（ｃ）に示すように、第２の切断位置で切断された台紙が、第１の切断位置で切断された台紙よりも長くなるため、「印刷ページ数」で設定された最後のページを、ユーザは容易に識別して区分けすることができる。なお、第２の切断位置で切断されたページの次のページは、再び第１の切断位置で切断されるため、当該次のページの台紙は、他のページの台紙よりも短くなる。しかしながら、ユーザは、第２の切断位置で切断されたページ（つまり、他のページよりも台紙が長いページ）を区分け用として識別するため、第１の切断位置で切断されたページの台紙の長さが不均一であっても特段問題はない。
【００３６】
＜６．切断処理の流れ＞
次に上記切断処理を含む、記録装置１００における記録処理の流れについて図６を用いて説明する。図６は、記録装置１００における記録処理の流れを示すフローチャートである。
【００３７】
記録処理を開始する前の事前準備として、ユーザが設定テーブルの入力値を入力すると、記録装置１００では、ステップＳ６００において、当該入力値を設定テーブルに設定する。
【００３８】
続いて、ユーザより開始指示が入力されると、ステップＳ６０１では、記録処理を開始し（連続紙２０８を記録位置まで搬送し）、ステップＳ６０２では、ラベルに対して画像の記録を行う。
【００３９】
ステップＳ６０３及びステップＳ６０４では、ラベル毎に切断タイミング及びソートタイミングを監視する。監視の結果、切断タイミングであったが、ソートタイミングでなかった場合には（ステップＳ６０３にて“Ｙｅｓ”、ステップＳ６０４にて“Ｎｏ”）、ステップＳ６０５に進み、第１の切断位置において台紙の切断を行う。
【００４０】
一方、切断タイミングであって、かつ、ソートタイミングでもあった場合には（ステップＳ６０３にて“Ｙｅｓ”、ステップＳ６０４にて“Ｙｅｓ”）、ステップＳ６０６に進み、第２の切断位置において台紙の切断を行う。
【００４１】
第１または第２の切断位置で台紙の切断が行われた後は、ステップＳ６０７に進み、設定テーブルに基づいて記録の終了を監視する。監視の結果、印刷ジョブ数に達しておらず、記録が終了していないと判定された場合には、ステップＳ６０２に戻り、画像の記録を継続する。
【００４２】
一方、印刷ジョブ数に達し、記録が終了したと判定された場合には、ステップＳ６０８に進む。ステップＳ６０８では、連続紙２０８を巻き戻し、記録処理を終了する。
【００４３】
以上の説明から明らかなように、本実施形態に係る記録装置１００では、切断処理における切断位置を特定するための設定情報が設定される設定テーブルにおいて、切断タイミングとソートタイミングとを設定する構成とした。また、設定された切断タイミングにおける台紙の切断位置よりも、ソートタイミングにおける台紙の切断位置の方が、切断した後の台紙の長さが長くなるように構成した。
【００４４】
これにより、ユーザは、記録装置１００より排出されるラベルの中から、特定のラベル（ソートタイミングに対応するラベル、すなわち、印刷ページ数の最後のページに対応するラベル）を容易に識別し、区分けすることが可能となった。つまり、ラベルを無駄に消費することなく、特定のラベルをユーザが識別して区分けすることが可能となった。
【００４５】
なお、記録装置１００によれば、ソータ等を実装することなくラベルの区分けを行うことができるようになるため、記録装置のコストダウンを実現できるという付帯的な効果を得ることもできる。
【００４６】
［第２の実施形態］
上記第１の実施形態では、設定テーブルとして、切断タイミングにソートタイミングを更に付加する構成としたが、本発明はこれに限定されない。例えば、切断タイミングそのものに切断位置情報を付加する構成としてもよい。以下、本実施形態の詳細について説明する。
【００４７】
＜１．切断処理の概要＞
はじめに本実施形態に係る記録装置１００の切断処理の概要について説明する。図７は、本実施形態に係る記録装置１００の切断処理の概要を説明するための図である。このうち、図７（ａ）は切断処理における切断位置を特定するための指定情報を設定する設定テーブルの一例を示す図であり、図７（ｂ）は連続紙２０８の切断位置を示す図である。また、図７（ｃ）は切断処理により切断された連続紙２０８の一例を示す図である。
【００４８】
図７（ａ）に示すように、記録装置１００では、切断処理に用いられる設定テーブルとして、「印刷ジョブ数」や「印刷ページ数」、「切断タイミング」等の設定項目が設けられており、「切断タイミング」については、更に、切断タイミングごとに「切断位置」を指定できるよう構成されている。
【００４９】
ここで、「切断タイミング」とは、設定された入力値（ここではページ数“１”）ごとに切断を行うことを示す設定値のことである（つまり、切断される台紙に含まれるラベルの枚数を示している）。また、「切断位置」とは、各切断タイミングにおける切断位置（第１の切断位置か第２の切断位置）を指定する指定情報のことである。
【００５０】
図７の例では、１０ページのうち、１ページ目は第１の切断位置７００（（ｂ）参照）が選択され、該第１の切断位置で切断処理が行われ、２ページ目は第２の切断位置７０１（（ｂ）参照）が選択され、該第２の切断位置で切断処理が行われることを示している。また、３ページ目は第１の切断位置が選択され、該第２の切断位置で切断処理が行われることを示している。
【００５１】
この結果、図７（ｃ）に示すように、第２の切断位置で切断された台紙が、第１の切断位置で切断された台紙よりも長くなるため、特定のページ（印刷ページ数の最後のページに対応するラベル）をユーザは容易に識別して区分けすることができるようになる。
【００５２】
＜２．切断処理の流れ＞
次に上記切断処理を含む、記録装置１００における記録処理の流れについて図８を用いて説明する。図８は、記録装置１００における記録処理の流れを示すフローチャートである。
【００５３】
記録処理を開始する前の事前準備として、ユーザが設定テーブルの入力値を入力すると、記録装置１００では、ステップＳ８００において、当該入力値を設定テーブルに設定する。
【００５４】
続いて、ユーザより開始指示が入力されると、ステップＳ８０１では、記録処理を開始し（連続紙２０８を記録位置まで搬送し）、ステップＳ８０２では、ラベルに対して画像の記録を行う。
【００５５】
ステップＳ８０３では、ラベル毎に切断タイミングを監視する。監視の結果、設定テーブルに設定された切断タイミングに達したと判定された場合には、ステップＳ８０４に進む。
【００５６】
ステップＳ８０４では、当該切断タイミングが第１の切断位置であるか否かを判定する。ステップＳ８０４における判定の結果、第１の切断位置でないと判定された場合には、ステップＳ８０５に進み、第２の切断位置において台紙の切断を行う。
【００５７】
一方、ステップＳ８０４における判定の結果、第１の切断位置であると判定された場合には、ステップＳ８０６に進み、第１の切断位置において台紙の切断を行う。
【００５８】
第１または第２の切断位置で台紙の切断が行われた後は、ステップＳ８０７に進み、設定テーブルに基づいて記録の終了を監視する。監視の結果、印刷ジョブ数に達しておらず、記録が終了していないと判定された場合には、ステップＳ８０２に戻り、画像の記録を継続する。
【００５９】
一方、印刷ジョブ数に達し、記録が終了したと判定された場合には、ステップＳ８０８に進む。ステップＳ８０８では、連続紙２０８を巻き戻し、記録処理を終了する。
【００６０】
以上の説明から明らかなように、本実施形態に係る記録装置１００では、切断処理に用いる設定テーブルにおいて、切断タイミングを設定する構成とするとともに、切断タイミングで設定されたタイミングにおける切断位置を、個別に設定する構成とした。
【００６１】
これにより、特定のラベルが配された台紙の切断位置を、他のラベルが配された台紙の切断位置よりも長くなるように設定することが可能となり、この結果、ユーザは、記録装置１００より排出されるラベルの中から、特定のラベル（印刷ページ数の最後のページに対応するラベル）を容易に識別し、区分けすることが可能となった。つまり、ラベルを無駄に消費することなく、特定のラベルをユーザが識別して区分けすることが可能となった。
【００６２】
なお、本実施形態の設定テーブルを用いれば、切断位置を個別に設定できるため、切断タイミングを細かく設定することも可能となる。
【００６３】
［第３の実施形態］
上記第１及び第２の実施形態では、切断位置を変更するラベルを予めユーザが特定する構成としたが、本発明はこれに限定されず、ラベルに対する記録結果に応じて、切断位置を変更する構成としてもよい。
【００６４】
例えば、記録装置１００がＲＦＩＤタグへの情報の書込機能を有している場合にあっては、ラベルに埋め込まれたＲＦＩＤタグへの書き込みエラーが発生した場合に、当該ラベルが含まれていると判断された台紙の切断位置を変更するように構成してもよい。
【００６５】
この場合、設定テーブルには、切断タイミングと、書き込みエラーが生じた場合に第２の切断位置で切断することを指定するための指定情報とが設定可能となる。そして、切断タイミングに達した際に、情報の書き込みエラーが生じたラベルが、該切断される台紙に含まれていないと判断された場合には、第１の切断位置にて切断を行う。また、切断タイミングに達した際に、情報の書き込みエラーが生じたラベルが、該切断される台紙に含まれていると判断された場合には、第１の切断位置よりも直前のラベルの端面からの長さが長い第２の切断位置にて切断を行うこととなる。
【００６６】
あるいは、記録装置１００が不良画像検知機能を有している場合にあっては、ラベルへの画像の記録不良が発生した場合に、当該ラベルが含まれていると判断された台紙の切断位置を変更する構成としてもよい。
【００６７】
この場合、設定テーブルには、切断タイミングと、画像の記録不良が生じた場合に前記第２の切断位置で切断することを指定するための指定情報とが設定可能となる。そして、切断タイミングに達した際に、画像の記録不良が検知されたラベルが、該切断される台紙に含まれていないと判断された場合には、第１の切断位置にて切断を行う。また、切断タイミングに達した際に、画像の記録不良が検知されたラベルが、該切断される台紙に含まれていると判断された場合には、第１の切断位置よりも直前のラベルの端面からの長さが長い第２の切断位置にて切断を行うこととなる。
【００６８】
当該構成によれば、ＲＦＩＤタグへの書き込みエラーや画像の記録不良が発生したラベルを、ユーザが容易に識別し区分けすることが可能となる。
【００６９】
［他の実施形態］
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014008741.tif 000003
【図２】
2014008741.tif 000004
【図３】
2014008741.tif 000005
【図４】
2014008741.tif 000006
【図５】
2014008741.tif 000007
【図６】
2014008741.tif 000008
【図７】
2014008741.tif 000009
【図８】
2014008741.tif 000010